【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
波長４５０ｎｍ〜６５０ｎｍの可視光領域における酸化アルミニウム標準板に対する光の拡散反射率が９０％以上であるマイクロ発泡樹脂板の表面に振動アクチュエータとして圧電素子が設けられていることを特徴とする光反射板。
【請求項２】
前記マイクロ発泡樹脂板の圧電素子と異なる位置に、ＬＥＤ光源が配置されることを特徴とする請求項１記載の光反射板。
【請求項３】
前記マイクロ発泡樹脂板は、窪み部を有し、前記圧電素子は窪み部に設けられることを特徴とする請求項１記載の光反射板。
【請求項４】
前記マイクロ発泡樹脂板は窪み部を有し、前記圧電素子は窪み部に設けられることを特徴とする請求項２記載の光反射板。
【請求項５】
前記窪み部は、上方が開口した曲面部により形成される形状、または壁部を有し、上方が開口した曲面部により形成される形状、上方が開口した略逆角錐台状、略逆円錐台状または略直方体形状のいずれかの形状を具備することを特徴とする請求項３または請求項４のいずれかに記載の光反射板。
【請求項６】
発泡樹脂板は、ＰＥＴ樹脂、ＰＣ樹脂、アクリル樹脂、難燃アクリル樹脂の少なくともいずれかであることを特徴とする請求項３から請求項５のいずれかに記載の光反射板。
【請求項７】
請求項３記載の音響振動板を兼ねる光反射板を具備することを特徴とする照明装置。
【請求項８】
請求項４記載の音響振動板を兼ねる光反射板を具備することを特徴とする照明装置。
【請求項９】
前記マイクロ発泡樹脂板は、上部に設けられた開口部と、前記開口部から下方に向けて形成された前記窪み部とを有し、
前記ＬＥＤ光源は、前記マイクロ発泡樹脂板の前記窪み部の表面に配置され、
前記開口部は光透過部材で覆われ、前記開口部から光が取り出され、
前記圧電素子は、前記マイクロ発泡樹脂板の前記窪み部の裏面または前記マイクロ発泡樹脂板の前記窪み部の表面に配置されることを特徴とする請求項８記載の照明装置。
【請求項１０】
前記窪み部は、壁部を有し、
前記ＬＥＤ光源は、前記壁部に設けられ、
前記圧電素子は、前記マイクロ発泡樹脂板の裏面であって、前記窪み部の略中央の平坦部に配置されることを特徴とする請求項９記載の照明装置。
【請求項１１】
前記窪み部の形状は、上方が開口した曲面部により形成される形状、または前記光透過部材に対して略垂直に下方に向けて形成された壁部を有し、上方が開口した曲面部により形成される形状、略逆角錐台状、略逆円錐台状または略直方体形状のいずれかであることを特徴とする請求項９または請求項１０のいずれかに記載の照明装置。
【請求項１２】
波長４５０ｎｍ〜６５０ｎｍの可視光領域における酸化アルミニウム標準板に対する光の拡散反射率が９０％以上であるマイクロ発泡樹脂製の外側反射板と、
前記外側反射板の内部に配置される、マイクロ発泡樹脂製の内側反射板と、からなる一対のマイクロ発泡樹脂板を具備し、
前記外側反射板および前記内側反射板は、それぞれ、上部に設けた開口部と、前記開口部から下方に向けて窪み部が形成され、
前記内側反射板と前記外側反射板の前記窪み部は、互いに離間して対向し、
第１のＬＥＤ光源が、前記内側反射板の前記窪み部の表面に配置され、第２のＬＥＤ光源が前記外側反射板の前記窪み部の表面または前記内側反射板の前記窪み部の裏面に配置され、
前記内側反射板の前記開口部と、前記内側反射板の前記開口部の周囲であって、前記内側反射板と前記外側反射板の間の前記開口部からそれぞれ光が取り出され、前記内側反射板および前記外側反射板の前記開口部はそれぞれ光透過部材で覆われ、
圧電素子が、前記内側反射板の裏面または前記外側反射板の表面であって、前記第２のＬＥＤ光源と異なる位置、若しくは前記外側反射板の裏面に配置されることを特徴とする照明装置。
【請求項１３】
前記第１のＬＥＤ光源が、前記内側反射板の表面に配置され、前記第２のＬＥＤ光源が前記内側反射板の裏面に配置され、
前記圧電素子が、前記外側反射板の表面または裏面に配置されることを特徴とする請求項１２記載の照明装置。
【請求項１４】
前記内側反射板と前記外側反射板の前記窪み部の互いの対向面が、所定の距離だけ離間して対向し、
前記圧電素子は、前記内側反射板または前記外側反射板の略中央の平坦部に配置されることを特徴とする請求項１２または請求項１３に記載の照明装置。
【請求項１５】
前記内側反射板および前記外側反射板のそれぞれの前記窪み部は、上方が開口した曲面部により形成される形状、または前記光透過部材に対して略垂直に下方に向けて形成された壁部と曲面部を有し、前記内側反射板の前記窪み部と、前記外側反射板の前記窪み部とが略相似形であることを特徴とする請求項１２から請求項１４のいずれかに記載の照明装置。
【請求項１６】
前記第１のＬＥＤ光源は、白色または昼光色のＬＥＤ光源であり、前記第２のＬＥＤ光源は、着色ＬＥＤ光源であることを特徴とする請求項１２から請求項１５のいずれかに記載の照明装置。
【請求項１７】
前記ＬＥＤ光源または前記圧電素子の配線の少なくとも一部、あるいは前記第１のＬＥＤ光源、前記第２のＬＥＤ光源または前記圧電素子の配線の少なくとも一部が、前記マイクロ発泡樹脂板に沿って配置されることを特徴とする請求項９から請求項１６のいずれかに記載の照明装置。
【請求項１８】
前記マイクロ発泡樹脂板の、前記圧電素子が貼り付けられた部分及びその近傍の板厚が、前記マイクロ発泡樹脂板の外周部の板厚より薄く形成されていることを特徴とする請求項９から請求項１７のいずれかに記載の照明装置。
【請求項１９】
前記マイクロ発泡樹脂板の前記窪み部の板厚は、０．３ｍｍ〜０．８ｍｍの範囲にあることを特徴とする請求項９から請求項１８のいずれかに記載の照明装置。
【請求項２０】
前記照明装置は、室内照明用、誘導照明用または自動車、鉄道車輌、航空機の照明用の照明装置であることを特徴とする請求項９から請求項１９のいずれかに記載の照明装置。
【請求項２１】
請求項９から請求項２０のいずれかに記載の照明装置を用い、携帯情報機器から無線で送信された音声信号または音楽信号を受信機で受信し、前記音声信号または音楽信号を増幅器または増幅回路で増幅して、前記受信機、前記増幅器または前記増幅回路と前記圧電素子を配線で繋ぐことで、前記圧電素子を振動させて、前記圧電素子が配置された前記マイクロ発泡樹脂板を音響振動させて音声または音楽を取り出すことを特徴とする照明装置からの音の取り出し方法。
【請求項２２】
請求項９から請求項２０のいずれかに記載の照明装置を用いて、情報端末と増幅器または増幅回路を配線で繋いで、前記情報端末から送信された音声信号または音楽信号を前記増幅器または前記増幅回路で増幅して、前記増幅器または前記増幅回路と前記圧電素子を配線で繋ぐことで、前記圧電素子を振動させて、前記圧電素子が配置された前記マイクロ発泡樹脂板を音響振動させて音声または音楽を取り出すことを特徴とする照明装置からの音の取り出し方法。
【手続補正２】
【補正対象書類名】明細書
【補正対象項目名】００１７
【補正方法】変更
【補正の内容】
【００１７】
特許文献７の圧電音響装置は、振動板に圧電素子を貼り付けた圧電振動子の周辺部が周辺部材で支持されている。圧電振動子の周辺部が支持部材を介して周辺部材に支持されており、圧電素子、振動板、支持部材及び周辺部材を構成する材質の密度が、圧電素子、振動板、支持部材及び周辺部材の順で大きくなる。
【手続補正３】
【補正対象書類名】明細書
【補正対象項目名】００３０
【補正方法】変更
【補正の内容】
【００３０】
前述した目的を達するために、第１の発明は、波長４５０ｎｍ〜６５０ｎｍの可視光領域における酸化アルミニウム標準板に対する光の拡散反射率が９０％以上であるマイクロ発泡樹脂板の表面に振動アクチュエータとして圧電素子が設けられていることを特徴とする光反射板である。この光反射板を用いることで、圧電素子の振動による光反射板における反射光の揺らぎにより誘起されるちらつきを抑制することができる。そのため、光反射板を、音響振動板を兼ねる光反射板として用いることが可能になる。
【手続補正４】
【補正対象書類名】明細書
【補正対象項目名】００３２
【補正方法】変更
【補正の内容】
【００３２】
前記マイクロ発泡樹脂板の圧電素子と異なる位置に、ＬＥＤ光源が配置されることを特徴とする請求項１記載の光反射板。
【手続補正５】
【補正対象書類名】明細書
【補正対象項目名】００５３
【補正方法】変更
【補正の内容】
【００５３】
前記内側反射板および前記外側反射板のそれぞれの前記窪み部は、上方が開口した曲面部により形成される形状、または前記光透過部材に対して略垂直に下方に向けて形成された壁部と窪み部を有し、前記内側反射板の前記窪み部と、前記外側反射板の前記窪み部とが略相似形であってもよい。
【手続補正６】
【補正対象書類名】明細書
【補正対象項目名】００９４
【補正方法】変更
【補正の内容】
【００９４】
波長４５０ｎｍ〜６５０ｎｍの可視光領域における、マイクロ発泡樹脂板３の光学特性として、酸化アルミニウム標準板を用いた時の光反射率は、全反射率が９０％以上、拡散反射率が９０％以上を満たし、反射率の波長依存性が±２％以下の範囲内にあることが望ましい。全反射率、拡散反射率ともに、好ましくは９５％以上を満足できる。
【手続補正７】
【補正対象書類名】明細書
【補正対象項目名】０１０３
【補正方法】変更
【補正の内容】
【０１０３】
本実施形態の圧電素子５は、圧電材量を２枚の電極で挟んだ素子を基本構造とするもので、薄手の圧電素子と金属板を貼り合わせた構造である。圧電素子５が面内で伸び縮みすると、貼り合わせた金属板の寸法はそのままであるため反りが生ずる。圧電素子５に加える電圧によって発生する振動を利用して音に変換することができる。この際、電極に信号電圧を加える場合の印加する電圧の大きさで、圧電素子５の歪みの大きさが変わることで、音圧レベルを変えることができる。通常、圧電材料を上部電極と下部電極では挟んだ構造とすることで、圧電素子５が構成され、圧電素子５の電極から圧電材料に電流が印加される。このとき、照明装置用光反射板１は、拡散反射率が９０％以上と高いので、振動による反射板の輝度の時間的空間的分布の変化による揺らぎが原因で起こる反射光の反射方向や反射強度の変化に起因するちらつきを抑制することができる。